(57)【要約】【課題】各々のユーザーが同時にそれぞれ好きな番組を視聴できるセットトップボックスと、シャッターメガネ及びその方法と、を提供することである。【解決手段】本発明は、各々のユーザーが同時にそれぞれ好きな番組を視聴することができるセットトップボックスと、シャッターメガネ及びその方法と、を提供する。本発明のセットトップボックスと、シャッターメガネ及びそれぞれのユーザーは同時にそれぞれの番組を観覧する方法とは、複数のユーザによって選択された番組のフレームをクロスした後、多重化してビデオプレイアプライアンスに表示し、且つ同時に、シャッターメガネのレンズスイッチのオン／オフを制御する。これにより、各々のユーザーは、同時にそれぞれ好きな番組を視聴できる。【選択図】図２
2012175704.tif 000002
【特許請求の範囲】
【請求項１】
数セットの視聴デバイスを伴うビデオプレイアプライアンスと通信するセットトップボックスであって、
各々のユーザによって選択された番組と、前記番組を視聴するために用いられる前記視聴デバイスのユーザーＩＤを受信し、前記各々のユーザによって選択された番組を、連続する複数フレームからなるビデオストリームと音声ストリームと、に解析するためのマルチメディアプロセッサと、
順に受信された数セットの番組のフレームを組み合わせて、新ビデオストリームに多重化し、それと同時に、前記新ビデオストリームを前記ビデオプレイアプライアンスへ出力して放映し、前記新ビデオストリーム中の各フレームを出力すると同時に、一つの同期信号を生成するためのビデオマルチプレクサと、
前記同期信号のタイム幅で、各フレームとシンクロする前記音声ストリーム中の音声信号と、前記ユーザーＩＤと、をそれぞれに多重化して各同期信号に対応する音声パケットを生成し、同期信号の生成順序に従って、前記音声パケットを新音声ストリームに構成するための音声マルチプレクサと、
前記新音声ストリームを前記数セットの視聴デバイスへ伝送するための伝送モジュールと、
を備えることを特徴とするセットトップボックス。
【請求項２】
前記ビデオマルチプレクサと、前記ビデオプレイアプライアンスとの間に設置され、前記新ビデオストリームを固定時間遅らせて、前記ビデオプレイアプライアンスへ出力して放映するための遅延回路をさらに含むことを特徴とする請求項１に記載のセットトップボックス。
【請求項３】
前記同期信号のタイム幅は、各フレームが前記ビデオプレイアプライアンスに表示されたタイム幅と同じであることを特徴とする請求項１に記載のセットトップボックス。
【請求項４】
ビデオプレイアプライアンスと、セットトップボックスと、ヘッドセットと、を通信するシャッターメガネからなり、
前記セットトップボックスは、複数のユーザによって選択された同時間に複数のユーザーがそれぞれ視聴する番組のフレームと、各ユーザーに使用されるユーザーＩＤとを受信し、且つ順に受信された同時間に複数のユーザーがそれぞれ視聴する番組のフレームを組み合わせて、新ビデオストリームに多重化し、それと同時に前記新ビデオストリームを前記ビデオプレイアプライアンスへ出力して放映し、
前記セットトップボックスから音声ストリームを受信するために用いられ、前記音声ストリームは複数の音声パケットを含み、前記音声パケットは前記ユーザーＩＤと、前記同期信号のタイム幅及び毎フレームと同期する音声信号と、を含む受信モジュールと、
オンになった時、ユーザーに前記ビデオプレイアプライアンスに放映されたフレームを視聴させることができ、オフになった時、ユーザーに前記ビデオプレイアプライアンスに放映されたフレームを視聴させることができなくさせるレンズスイッチと、
前記音声パケット中のユーザーＩＤが前記シャッターメガネに記憶されているユーザーＩＤである場合、前記同期信号のタイム幅により、前記レンズスイッチがオンになることを制御するための制御信号を生成し、それと同時にユーザーに、前記ビデオプレイアプライアンスに放映されるフレームとシンクロしている音声が聞こえるように、前記音声信号を前記ヘッドセットへ出力するための制御モジュールと、
を含み、ユーザーＩＤを記憶するために用いられることを特徴とするシャッターメガネ。
【請求項５】
前記制御モジュールは、前記音声パケット中のユーザーＩＤが前記シャッターメガネに記憶されているユーザーＩＤでない場合、前記同期信号のタイム幅により、前記レンズスイッチをオフにすることを制御するための制御信号を生成することを特徴とする請求項４に記載のシャッターメガネ。
【請求項６】
前記同期信号のタイム幅は、前記各フレームが前記ビデオプレイアプライアンスに表示されたタイム幅と同じであり、前記制御信号は、前記制御信号に対応する同期信号のタイム幅の範囲の中で、前記レンズスイッチを制御して、オンの状態或いはオフの状態を維持させる。
ことを特徴とする請求項５に記載のシャッターメガネ。
【請求項７】
ビデオプレイアプライアンスと、セットトップボックスと、数セットの視聴デバイスから構成されるシステムに用いられ、前記視聴デバイスがシャッターメガネと、ヘッドセットとを含み、且つユーザーＩＤが前記シャッターメガネに記憶され、各々のユーザーが同時にそれぞれ好きな番組を視聴できる方法であって、
前記セットトップボックスが、各々のユーザによって選択された番組と、前記番組を視聴するために用いられる前記視聴デバイスのユーザーＩＤとを受信し、前記各々のユーザによって選択された番組を、連続する複数のフレームからなるビデオストリームと音声ストリームと、に解析するステップと、
前記セットトップボックスが、順に受信された同時間に複数のユーザーがそれぞれ視聴する番組のフレームを組み合わせて、新ビデオストリームに多重化するステップと、
前記セットトップボックスは、前記新ビデオストリームを前記ビデオプレイアプライアンスへ出力して放映し、前記新ビデオストリーム中の各フレームを出力すると同時に、一つの同期信号を生成するステップと、
前記セットトップボックスが、前記同期信号のタイム幅で、各フレームとシンクロする前記音声ストリーム中の音声信号と、前記ユーザーＩＤと、をそれぞれに多重化して、毎同期信号に対応する音声パケットを生成し、同期信号の生成順序に従って、前記音声パケットを新音声ストリームに構成し、それに前記新音声ストリームを前記シャッターメガネへ伝送するステップと、
を有することを特徴とする方法。
【請求項８】
前記同期信号のタイム幅は、各フレームが前記ビデオプレイアプライアンスに表示されたタイム幅と同じであることを特徴とする請求項７に記載の各々のユーザーが同時にそれぞれ好きな番組を視聴できる方法。
【請求項９】
前記シャッターメガネは、前記セットトップボックスから前記新音声ストリームを受信して、且つ前記音声パケット中のユーザーＩＤが前記シャッターメガネに記憶されているユーザーＩＤであるか否かを判定するステップと、
前記音声パケット中のユーザーＩＤが前記シャッターメガネに記憶されているユーザーＩＤである場合、前記同期信号のタイム幅により、前記レンズスイッチがオンになることを制御するための制御信号を生成し、それと同時にユーザーに、前記ビデオプレイアプライアンスに放映されるフレームとシンクロしている音声が聞こえるように、前記音声信号を前記ヘッドセットへ出力するステップと、
前記音声パケット中のユーザーＩＤが前記シャッターメガネに記憶されているユーザーＩＤでない場合、前記同期信号のタイム幅により、前記レンズスイッチがオフになることを制御するための制御信号を生成するステップと、
を有することを特徴とする請求項８に記載の各々のユーザーが同時にそれぞれ好きな番組を視聴できる方法。
【請求項１０】
前記制御信号は、前記制御信号に対応する同期信号のタイム幅の範囲の中で、前記レンズスイッチを制御して、オンの状態或いはオフの状態を維持することを特徴とする請求項９に記載の各々のユーザーが同時にそれぞれ好きな番組を視聴できる方法。
【発明の詳細な説明】
【技術分野】
【０００１】
本発明は、ネットワークアプライアンスに関し、特にセットトップボックスと、シャッターメガネ及び各々のユーザーが同時にそれぞれ好きな番組を視聴できる方法に関するものである。
【背景技術】
【０００２】
現在、テレビの大衆化に従って、おそらく、どの家庭にも１台のテレビがあるだろう。しかし、家庭に１台しかテレビがない場合は、同時に家族がそれぞれ好きなテレビ番組を視聴することはできない。この問題を解決するために、数台のテレビを購入して、家族の一人一人にテレビを１台ずつ持たせるとういう方法があるが、こうなると、家庭の支出を増加させる。
【発明の概要】
【発明が解決しようとする課題】
【０００３】
以上の問題点に鑑みて、本発明は、各々のユーザーが、同時にそれぞれ好きな番組を視聴できるセットトップボックスと、シャッターメガネ及びその方法と、を提供することを目的とする。
【課題を解決するための手段】
【０００４】
前記問題を解決するために、本発明に係るセットトップボックスは、数セットの視聴デバイスを伴うビデオプレイアプライアンスと通信し、マルチメディアプロセッサと、ビデオマルチプレクサと、音声マルチプレクサ及び伝送モジュールと、を含む。前記マルチメディアプロセッサは、各々のユーザによって選択された番組と、前記番組を視聴するために用いられる前記視聴デバイスのユーザーＩＤとを受信し、前記各々のユーザによって選択された番組を、連続する複数のフレームからなるビデオストリームと音声ストリームと、に解析する。前記ビデオマルチプレクサは、順に受信された同時間に複数のユーザーがそれぞれ視聴する番組のフレームを組み合わせて、新ビデオストリームに多重化し、それと同時に前記新ビデオストリームを前記ビデオプレイアプライアンスへ出力して放映し、前記新ビデオストリーム中の各フレームを出力すると同時に、一つの同期信号を生成する。前記音声マルチプレクサは、前記同期信号のタイム幅で、各フレームとシンクロする前記音声ストリーム中の音声信号と、前記ユーザーＩＤと、をそれぞれに多重化して、各同期信号に対応する音声パケットを生成し、同期信号の生成順序に従って、前記音声パケットを新音声ストリームに構成する。前記伝送モジュールは、前記新音声ストリームを前記数セットの視聴デバイスへ伝送する。
【０００５】
本発明に係るシャッターメガネは、ビデオプレイアプライアンスと、セットトップボックスと、ヘッドセットと、を通信し、ユーザーＩＤを記憶するために用いられ、受信モジュールと、レンズスイッチと、制御モジュールと、を含む。前記セットトップボックスは、複数のユーザによって選択された同時間に複数のユーザーがそれぞれ視聴する番組のフレームと、各ユーザーに使用されるユーザーＩＤとを受信し、且つ順に受信された同時間に複数のユーザーがそれぞれ視聴する番組のフレームを組み合わせて、新ビデオストリームに多重化し、それと同時に、前記新ビデオストリームを前記ビデオプレイアプライアンスへ出力して放映する。前記受信モジュールは、前記セットトップボックスから音声ストリームを受信するために用いられ、前記音声ストリームは複数の音声パケットを含み、前記音声パケットは前記ユーザーＩＤと、前記同期信号のタイム幅及び各フレームと同期する音声信号と、を含む。前記レンズスイッチは、オンの時、ユーザーに前記ビデオプレイアプライアンスに放映されたフレームを視聴させることができ、オフの時、ユーザーに前記ビデオプレイアプライアンスに放映されたフレームを視聴させることができない。前記制御モジュールは、前記音声パケット中のユーザーＩＤが前記シャッターメガネに記憶されているユーザーＩＤである場合、前記同期信号のタイム幅により、前記レンズスイッチがオンになることを制御するための制御信号を生成し、それと同時にユーザーに、前記ビデオプレイアプライアンスに放映されるフレームとシンクロしている音声が聞こえるように、前記音声信号を前記ヘッドセットへ出力する。
【０００６】
本発明に係る各々のユーザーが、同時にそれぞれ好きな番組を視聴できる方法は、ビデオプレイアプライアンスと、セットトップボックスと、数セットの視聴デバイスから構成されるシステムに用いられ、前記視聴デバイスがシャッターメガネと、ヘッドセットとを含み、且つユーザーＩＤが前記シャッターメガネに記憶される。前記各々のユーザーが同時にそれぞれ好きな番組を視聴できる方法は、前記セットトップボックスが、各々のユーザによって選択された番組と、前記番組を視聴するために用いられる前記視聴デバイスのユーザーＩＤとを受信し、前記各々のユーザによって選択された番組を、連続する複数のフレームからなるビデオストリームと音声ストリームと、に解析するステップと、前記セットトップボックスが、順に受信された同時間に複数のユーザーがそれぞれ視聴する番組のフレームを組み合わせて、新ビデオストリームに多重化するステップと、前記セットトップボックスが、前記新ビデオストリームを前記ビデオプレイアプライアンスへ出力して放映し、前記新ビデオストリーム中の各フレームを出力すると同時に、一つの同期信号を生成するステップと、前記セットトップボックスが、前記同期信号のタイム幅で、各フレームとシンクロする前記音声ストリーム中の音声信号と、前記ユーザーＩＤと、をそれぞれに多重化して各同期信号に対応する音声パケットを生成し、同期信号の生成順序に従って、前記音声パケットを新音声ストリームに構成し、それに前記新音声ストリームを前記シャッターメガネへ伝送するステップと、を有することを特徴とする。
【発明の効果】
【０００７】
従来の技術と比べて、本発明のセットトップボックスと、シャッターメガネ及び各々のユーザーが同時にそれぞれ好きな番組を視聴できる方法は、複数のユーザによって選択された番組のフレームをクロスした後、多重化してビデオプレイアプライアンスに表示し、且つ同時に、シャッターメガネのレンズスイッチのオン／オフを制御する。これにより、各々のユーザーが同時にそれぞれ好きな番組を視聴することができる。
【図面の簡単な説明】
【０００８】
【図１】本発明の実施形態に係るメディアシステムの応用環境を示す図である。
【図２】本発明の実施形態に係るセットトップボックスの構造を示す図である。
【図３】本発明の実施形態に係る新ビデオストリームと同期信号の時間関係を示す図である。
【図４】本発明の実施形態に係る新音声ストリームの各音声パケットの詳しい書式を示す図である。
【図５】本発明の実施形態に係る視聴デバイスの構造を示す図である。
【図６】本発明の実施形態に係る各々のユーザーが同時にそれぞれ好きな番組を視聴できる方法を示すフローチャートである。
【発明を実施するための形態】
【０００９】
以下、図面を参照しながら、本発明の実施形態に係るセットトップボックスと、シャッターメガネ及び各々のユーザーが同時にそれぞれ好きな番組を視聴できる方法と、を詳細に説明する。各実施形態において、同一箇所には同一符号を付して説明する。
【００１０】
図１は、本発明の実施形態に係るメディアシステム１００の応用環境を示す図である。図１に示したように、前記メディアシステム１００は、ビデオプレイアプライアンス１０と、セットトップボックス２０と、複数セットの視聴デバイス４０と、を含む。各々のユーザーが、セット視聴デバイス４０を介して、好きな番組を視聴できるように、前記セットトップボックス２０はメディアトランスポートストリーム（Ｔｏｒａｎｓｐｏｒｔ  Ｓｔｒｅａｍ、ＴＳ）をネットワーク３０から受信して、前記メディアトランスポートストリーム中の各々のユーザーが選択した番組を、前記ビデオプレイアプライアンス１０に表示する。従って、各々のユーザーは、１台のテレビのみで、前記ビデオプレイアプライアンス１０を介して、同時にそれぞれ好きな番組を視聴することができる。
【００１１】
図１に示したように、ユーザーＡに選択された番組が、連続のフレーム（ｆｒａｍｅ）例えば、ＦＡ１、ＦＡ２、ＦＡ３…）によって表示され、ユーザーＢに選択された番組が、連続のフレーム（例えば、ＦＢ１、ＦＢ２、ＦＢ３…）によって表示され、ユーザーＣに選択された番組が、連続のフレーム（例えば、ＦＣ１、ＦＣ２、ＦＣ３…）によって表示されるとすれば、前記ビデオプレイアプライアンス１０は、一定の順序に従って、各々のユーザによって選択された番組のフレームを表示するので、ユーザーＡ、ユーザーＢ及びユーザーＣは、それぞれの前記視聴デバイス４０を介して、それぞれ選択した番組を視聴することができる。
【００１２】
図２は、本発明の実施形態に係るセットトップボックス２０の構造を示す図である。図２に示したように、前記セットトップボックス２０はビデオマルチプレクサ（Ｖｉｄｅｏ  Ｍｕｌｔｉｐｌｅｘｅｒ）２０２と、音声マルチプレクサ（Ａｕｄｉｏ  Ｍｕｌｔｉｐｌｅｘｅｒ）２０３と、遅延回路２０４と、変調器２０５１及び無線ＲＦモジュール（Ｒａｄｉｏ  Ｆｒｅｑｕｅｎｃｙ  Ｍｏｄｕｌｅ）２０６と、を含む。
【００１３】
前記セットトップボックス２０は各々のユーザによって選択された番組を受信する。その後、マルチメディアプロセッサ２０１は、前記ネットワーク３０から受信された複数のメディアトランスポートストリームを解析して、各々のユーザによって選択された番組を取得する。本発明を限定しない例として、例えばユーザーＡ、ユーザーＢ及びユーザーＣに選択された番組は、それぞれ、映画、テレビドラマ及び総合芸能番組であるとすれば、前記マルチメディアプロセッサ２０１は、受信された複数のメディアトランスポートストリームを解析して、それぞれ、映画、テレビドラマ及び総合芸能番組を取得する。本実施形態において、各々のユーザによって、それぞれ番組が選択されると、前記視聴デバイス４０のユーザーＩＤが前記セットトップボックス２０に伝送される。
【００１４】
本実施形態において、同一時間に、各々のユーザーが視聴するそれぞれの番組は、ビデオストリームと音声ストリームとを含み、且つ前記ビデオストリームは、複数の連続するフレームから構成されるので、前記マルチメディアプロセッサ２０１も各々のユーザによって選択されたそれぞれの番組のビデオストリームと音声ストリームとを分離して、同時間に複数のユーザーがそれぞれ視聴する番組のビデオストリームを前記ビデオマルチプレクサ２０２へ伝送し、同時間に複数のユーザーがそれぞれ視聴する番組の音声ストリームを前記音声マルチプレクサ２０３へ伝送する。
【００１５】
前記ビデオマルチプレクサ２０２は、受信された同時間に複数のユーザーがそれぞれ視聴する番組のビデオストリームを処理して、新ビデオストリームに形成する。処理方法は、順に受信された同時間に複数のユーザーがそれぞれ視聴する番組のフレームを組み合わせて、新ビデオストリームに多重化する。具体的には、ユーザーＡに選択された映画のビデオストリームが、連続のフレームＦＡ１と、ＦＡ２と、ＦＡ３…によって表示され、ユーザーBに選択されたテレビドラマのビデオストリームが、連続のフレームＦＢ１と、ＦＢ２と、ＦＢ３…によって表示され、ユーザーＣに選択された総合芸能番組のビデオストリームが、連続のフレームＦＣ１と、ＦＣ２と、ＦＣ３…によって表示されるとすれば、前記ビデオマルチプレクサ２０２は前記三つの番組のフレームをクロスして、一定の順序に従って、新ビデオストリームに形成する。その順序は、ＦＡ１、ＦＢ１、ＦＣ１、ＦＡ２、ＦＢ２、ＦＣ２、ＦＡ３、ＦＢ３、ＦＣ３、…である。その後、前記ビデオマルチプレクサ２０２は、新ビデオストリームを前記ビデオプレイアプライアンス１０へ出力して放映する。
【００１６】
本実施形態において、前記音声マルチプレクサ２０３は、受信された同時間に複数のユーザーがそれぞれ視聴する番組の音声ストリームを処理して、新音声ストリームに形成し、且つ伝送モジュール２０５を介して、新音声ストリームを前記視聴デバイス４０へ伝送する。その処理方法は、図３と図４に示したとおりである。本実施形態において、新ビデオストリームは前記視聴デバイス４０に受信された新音声ストリームとシンクロすること、を維持するために、前記ビデオプレイアプライアンス１０へ出力する前に、前記遅延回路２０４を介して、新ビデオストリームを固定時間（Ｔ１）遅らせて放映する。
【００１７】
本実施形態において、図３に示したように、一つのフレームを前記遅延回路２０４へ出力すると、それと同時に、前記ビデオマルチプレクサ２０２が、一つの同期信号を生成する。前記同期信号のタイム幅は、前記各フレームが前記ビデオプレイアプライアンス１０に表示されるタイム幅と同じである。
【００１８】
図３は、本発明の実施形態に係る新ビデオストリームと同期信号の時間関係を示す図である。一般的に、前記ビデオプレイアプライアンス１０は、少なくとも１秒間に３０フレームのスピードでビデオストリームを出力すると、全てのユーザーが画面を視聴することができる。しかし、同時に、Ａ、Ｂ及びＣの三人のユーザーがそれぞれの番組を視聴できるには、新ビデオストリームは少なくとも１秒間に９０フレームのスピードで出力されると同時に、前記ビデオプレイアプライアンス１０も１秒間に９０フレームのスピードで新ビデオストリームを放映しなければならない。つまり、各フレームが前記ビデオプレイアプライアンス１０に表示されるタイム幅は１／９０秒である。
【００１９】
図３に示したように、前記ビデオマルチプレクサ２０２は、１／９０秒の時に、フレームのＦＡ１を出力し、それと同時に、タイム幅が１／９０秒である同期信号を生成し、次の１／９０秒の時に、フレームのＦＢ１を出力し、それと同時に、タイム幅が１／９０秒である同期信号を生成し、次の１／９０秒の時に、フレームのＦＣ１を出力し、それと同時に、タイム幅が１／９０秒である同期信号を生成し、…、以下同様である。本実施形態において、前記ビデオマルチプレクサ２０２は、新ビデオストリームを出力すると同時に、生成された同期信号を前記音声マルチプレクサ２０３へ入力する。前記同期信号のタイム幅は、前記各フレームが前記ビデオプレイアプライアンス１０に表示されるタイム幅と同じである。
【００２０】
図２に示したように、前記音声マルチプレクサ２０３は、前記ビデオマルチプレクサ２０２から受信された同期信号のタイム幅で、各フレームとシンクロする音声信号及び各々のユーザーによって使用される前記視聴デバイス４０のユーザーＩＤと、をそれぞれに多重化して各同期信号に対応する音声パケットを生成し、同期信号の生成順序に従って、前記音声パケットを新音声ストリームに構成する。
【００２１】
具体的には、図３に示したように、各フレームが前記ビデオプレイアプライアンス１０に表示されるタイム幅は１／９０秒であるので、それに応じて、各フレームとシンクロする１／９０秒の音声信号がある。前記音声マルチプレクサ２０３は、１／９０秒の時に、フレームのＦＡ１とシンクロする音声信号と、同期信号のタイム幅及びユーザーＡに使用される視聴デバイス４０のユーザーＩＤと、をそれぞれ多重化して、第一Ａ音声パケットを生成し、次の１／９０秒の時に、フレームのＦＢ１とシンクロする音声信号と、同期信号のタイム幅及びユーザーＢに使用される視聴デバイス４０のユーザーＩＤと、をそれぞれ多重化して、第一Ｂ音声パケットを生成し、次の１／９０秒の時に、フレームのＦＣ１とシンクロする音声信号と、同期信号のタイム幅及びユーザーＣに使用される視聴デバイス４０のユーザーＩＤと、をそれぞれ多重化して、第一Ｃ音声パケットを生成し、…、以下同様である。前記音声マルチプレクサ２０３は、同期信号の生成順序に従って、前記音声パケットを新音声ストリームに構成する。
【００２２】
図４は、本発明の実施形態に係る新音声ストリームの各音声パケットの詳しい書式を示す図である。前記音声マルチプレクサ２０３に生成された新音声ストリームの中で、前記音声パケットの詳しい書式は、ユーザーＩＤと、同期信号のタイム幅（Ｓｙｎｃ  Ｗｉｄｔｈ）と、音声データサイズ（Ａｕｄｉｏ  Ｓｉｚｅ）と、左チャンネル音声データ（Ａｕｄｉｏ  Ｌ）及び右チャンネル音声データ（Ａｕｄｉｏ  Ｒ）と、を含む。前記ユーザーＩＤが、それぞれのユーザーに対応する視聴デバイスを明示することに用いられる。前記同期信号のタイム幅は、一つのフレームが前記ビデオプレイアプライアンス１０に表示されたタイム幅と同じである。前記音声データサイズは、対応するフレームとシンクロする音声データのサイズを明示することに用いられ、前記左チャンネル音声データは、左チャンネルを介して放送されるデータを記憶することに用いられ、右チャンネル音声データは、右チャンネルを介して放送されるデータを記憶することに用いられる。
【００２３】
前記音声マルチプレクサ２０３は、新ビデオストリーム中のフレームを出力する順序に従って、新音声ストリームを生成する。前記新音声ストリーム中の音声パケットは新ビデオストリーム中のフレームに対応する。本発明を限定しない例として、新ビデオストリームのフレームを出力する順序がＦＡ１、ＦＢ１、ＦＣ１、ＦＡ２、ＦＢ２、ＦＣ２、ＦＡ３、ＦＢ３、ＦＣ３、…、であれば、前記音声マルチプレクサ２０３は、新音声ストリーム中の音声パケットを出力する順序は、第一Ａ音声パケット、第一Ｂ音声パケット、第一Ｃ音声パケット、第二Ａ音声パケット、第二Ｂ音声パケット、第二Ｃ音声パケット、…、以下同様である。
【００２４】
図２に示したように、前記伝送モジュール２０５は、新音声ストリームを前記数セットの視聴デバイス４０へ伝送する。本実施形態において、前記伝送モジュール２０５は、無線の方式によって、前記新音声ストリームを前記数セットの視聴デバイス４０へ伝送する。前記伝送モジュール２０５は、変調器２０５１及び無線ＲＦモジュール２０５３を含む。前記変調器２０５１は、入力された新音声ストリームを変調することに用いられる。具体的には、前記変調器２０５１は、デジタル／アナログ（Ｄ／Ａ）の変換によって、入力された新音声ストリームを低周波数のアナログ信号をに変換させる。また前記無線ＲＦモジュール２０５３は、前記変調器２０５１に変調された低周波数のアナログ信号を高周波数のアナログ信号に変換して、アンテナを介して発射させることに用いられる。
【００２５】
図５は、本発明の実施形態に係る視聴デバイス４０の構造を示す図である。図５に示したように、前記視聴デバイス４０は、シャッターメガネ４２と、ヘッドセット４４と、を含む。前記シャッターメガネ４２は、受信モジュール４２１と、復調器（Ｄｅｍｏｄｕｌａｔｏｒ）４２２と、デマルチプレクサ（Ｄｅｍｕｌｔｉｐｌｅｘｅｒ）４２３と、制御モジュール４２４及びレンズスイッチ４２５と、を含む。本実施形態において、前記シャッターメガネ４２は、ユーザーＩＤを記憶することに用いられる。また前記制御モジュール４２４は、前記同期信号のタイム幅により、前記レンズスイッチ４２５をオン／オフにすること及び前記レンズスイッチ４２５のオン／オフを制御するための制御信号を生成することに用いられる。前記レンズスイッチ４２５をオンにした場合、ユーザーは、前記レンズスイッチ４２５を介して、前記ビデオプレイアプライアンス１０に放映されたフレームを視聴することができ、これとは逆に、前記レンズスイッチ４２５がオフの場合、ユーザーは、前記レンズスイッチ４２５を介して、前記ビデオプレイアプライアンス１０に放映されたフレームを視聴することはできない。
【００２６】
前記シャッターメガネ４２中の前記受信モジュール４２１は、無線の方式によって、前記セットトップボックス２０から、新音声ストリームを受信し、且つ前記復調器４２２と前記デマルチプレクサ４２３とを利用して、前記新音声ストリーム中の毎音声パケットを逆多重化して、前記毎音声パケット中のユーザーＩＤと、毎フレームとシンクロする音声信号及び同期信号のタイム幅と、を取得する。前記デマルチプレクサ４２３は、前記新音声ストリーム中の音声パケットから逆多重化されたユーザーＩＤが、前記シャッターメガネ４２に記憶されているユーザーＩＤであるか否かを判定する。
【００２７】
取得された前記音声パケット中のユーザーＩＤが、前記シャッターメガネ４２に記憶されているユーザーＩＤである場合は、前記制御モジュール４２４は、前記同期信号のタイム幅により、制御信号を生成する。前記制御信号は、前記レンズスイッチ４２５がオンになることを制御して、ユーザーが前記ビデオプレイアプライアンス１０に放映されるフレームを視聴できるようにする。それと同時に、取得された前記音声パケット中の音声信号を前記ヘッドセット４４へ出力して、ユーザーが前記ビデオプレイアプライアンス１０に放映されるフレームとシンクロしている音声も聞こえるようにする。本実施形態において、前記制御信号のタイム幅は、前記同期信号のタイム幅と同じである。前記制御信号のタイム幅は、前記制御信号により、前記レンズスイッチ４２５がオンになる時間と同じである。具体的には、前記同期信号のタイム幅が１／９０秒であれば、前記制御信号のタイム幅も１／９０秒であり、前記制御信号により、前記レンズスイッチ４２５を入れる時間も１／９０秒である。本実施形態において、前記制御信号は、方形波のデジタル信号である。前記制御信号は、高レベル信号によって、前記レンズスイッチ４２５がオンになることを制御し、低レベル信号によって、前記レンズスイッチ４２５がオフになることを制御する。また、前記制御信号は、前記制御信号に対応する同期信号のタイム幅の範囲の中で、前記レンズスイッチを制御して、オンの状態或いはオフの状態を維持させる。
【００２８】
取得された前記音声パケット中のユーザーＩＤが、前記シャッターメガネ４２に記憶されているユーザーＩＤでない場合、前記制御モジュール４２４は、前記同期信号のタイム幅により、制御信号を生成して、前記シャッターメガネ４２のレンズスイッチ４２５がオフになることを制御する。これにより、ユーザーは、前記ビデオプレイアプライアンス１０に放映されるフレームを視聴することができない。本発明を限定しない例として、例えば、前記同期信号のタイム幅が１／９０秒であれば、前記制御モジュール４２４は、１／９０秒の低レベルの制御信号を生成して、前記シャッターメガネ４２の前記レンズスイッチ４２５がオフになることを制御する。しかし、次の音声ストリーム中の各音声パケットを逆多重化して、取得された前記音声パケット中のユーザーＩＤが、前記シャッターメガネ４２に記憶されているユーザーＩＤであれば、前記制御モジュール４２４に生成された前記制御信号により、前記レンズスイッチ４２５を再度オンにすることができ、従って、ユーザーが前記ビデオプレイアプライアンス１０に放映されるフレームを視聴できる。
【００２９】
本実施形態において、各々のユーザーが視聴する画面と、各々のユーザーが聞こえる音声信号がシンクロするために、前記ビデオマルチプレクサ２０２から生成された同期信号を、前記音声マルチプレクサ２０３に伝送する時から、前記変調器２０５１が変調された新音声ストリームを前記無線ＲＦモジュール２０５３に伝送するまでのこの区切りの時間を、変調タイム（Ｔ２１）と定義し、前記無線ＲＦモジュール２０５３から変調された新音声ストリームを受信する時から、前記復調器４２２が前記受信モジュール４２２から新音声ストリームを受信する時までのこの区切りの時間を無線ＲＦと受信タイム（Ｔ２２）と定義し、前記復調器４２２から新音声ストリームを受信する時から、前記デマルチプレクサ４２３が新音声ストリームを復調して、音声信号を出力する時までのこの区切りの時間を復調タイム（Ｔ２３）と定義すると、前記遅延回路２０４に設定される固定遅延時間Ｔ１＝Ｔ２１＋Ｔ２２＋Ｔ２３となる。すなわち、固定遅延時間Ｔ１は、前記音声マルチプレクサ２０３が前記ビデオマルチプレクサ２０２から生成された同期信号を受信する時から、前記デマルチプレクサ４２３が新音声ストリームを復調して、音声信号を出力する時までのこの区切りの時間と同じである。
【００３０】
図６は、本発明の実施形態に係る各々のユーザーが同時にそれぞれ好きな番組を視聴できる方法を示すフローチャートである。本実施形態において、図２と図５とに示されたそれぞれのモジュールを介して、前記各々のユーザーが同時にそれぞれ好きな番組を視聴できる方法を実現することができる。
【００３１】
図６に示したように、ステップＳ６００において、前記セットトップボックス２０は、各々のユーザによって選択された番組と、前記番組を視聴するために用いられる前記視聴デバイス４０のユーザーＩＤを受信し、前記各々のユーザによって選択された番組を、連続する複数フレームからなるビデオストリームと音声ストリームと、に解析する。本発明を限定しない例として、例えばユーザーＡ、ユーザーＢ及びユーザーＣとに選択された番組は、それぞれ、映画と、テレビドラマ及び総合芸能番組であれば、前記セットトップボックス２０中のマルチメディアプロセッサ２０１は、受信された複数のメディアトランスポートストリームを解析して、それぞれ、映画、テレビドラマ及び総合芸能とを取得する。その後、前記マルチメディアプロセッサ２０１は、各々のユーザによって選択されたそれぞれの番組のビデオストリームと音声ストリームとを分離して、数セットの番組のビデオストリームを前記セットトップボックス２０のビデオマルチプレクサ２０２へ伝送し、同時間に複数のユーザーがそれぞれ視聴する番組の音声ストリームを前記セットトップボックス２０の音声マルチプレクサ２０３へ伝送する。本実施形態において、各々のユーザがそれぞれ番組を選択すると、前記視聴デバイス４０のユーザーＩＤを前記セットトップボックス２０に伝送する。
【００３２】
ステップＳ６０２において、前記セットトップボックス２０のビデオマルチプレクサ２０２は、順に受信された同時間に複数のユーザーがそれぞれ視聴する番組のフレームを組み合わせて、新ビデオストリームに多重化する。具体的には、ユーザーＡに選択された映画のビデオストリームが、連続のフレームＦＡ１と、ＦＡ２と、ＦＡ３…によって表示され、ユーザーＢに選択されたテレビドラマのビデオストリームが、連続のフレームＦＢ１と、ＦＢ２と、ＦＢ３…によって表示され、ユーザーＣに選択された総合芸能番組のビデオストリームが、連続のフレームＦＣ１と、ＦＣ２と、ＦＣ３…によって表示されるとすれば、前記ビデオマルチプレクサ２０２は、前記三つの番組のフレームをクロスして、一定の順序に従って、新ビデオストリームに形成する。その順序は、ＦＡ１、ＦＢ１、ＦＣ１、ＦＡ２、ＦＢ２、ＦＣ２、ＦＡ３、ＦＢ３、ＦＣ３、…である。
【００３３】
ステップ６０４において、前記セットトップボックス２０のビデオマルチプレクサ２０２は、新ビデオストリームを前記ビデオプレイアプライアンス１０へ出力して放映し、前記新ビデオストリーム中の各フレームを出力すると同時に、一つの同期信号を生成する。本実施形態において、新ビデオストリームは、前記視聴デバイス４０とシンクロするために、前記ビデオプレイアプライアンス１０へ出力する前に、前記遅延回路２０４を介して、新ビデオストリームを固定時間（Ｔ１）遅らせて放映する。
【００３４】
ステップＳ６０６において、前記セットトップボックス２０中の音声マルチプレクサ２０３は、前記ビデオマルチプレクサ２０２から受信された同期信号のタイム幅で、各フレームとシンクロする音声信号と、使用されるそれぞれの視聴デバイス４０のユーザーＩＤと、をそれぞれ多重化して、各同期信号に対応する音声パケットを生成し、且つ前記同期信号の生成順序に従って、前記音声パケットを新音声ストリームに構成し、前記新音声ストリームを前記視聴デバイス４０中のシャッターメガネ４２へ伝送する。
【００３５】
具体的には、図３に示したように、本発明を限定しない例として、各フレームが前記ビデオプレイアプライアンス１０に表示されたタイム幅は１／９０秒であるので、それに対応して、各フレームとシンクロする１／９０秒の音声信号がある。前記音声マルチプレクサ２０３は、１／９０秒の時に、フレームのＦＡ１とシンクロする音声信号と、同期信号のタイム幅及びユーザーＡに使用される視聴デバイス４０のユーザーＩＤと、をそれぞれ多重化して、第一Ａ音声パケットを生成し、２／９０秒の時に、フレームのＦＢ１とシンクロする音声信号と、同期信号のタイム幅及びユーザーＢに使用される視聴デバイス４０のユーザーＩＤと、をそれぞれ多重化して、第一Ｂ音声パケットを生成し、３／９０秒の時に、フレームのＦＣ１とシンクロする音声信号と、同期信号のタイム幅及びユーザーＣに使用される視聴デバイス４０のユーザーＩＤと、をそれぞれ多重化して、第一Ｃ音声パケットを生成し、…、以下同様である。前記音声マルチプレクサ２０３は、同期信号の生成順序に従って、前記音声パケットを新音声ストリームに構成する。
【００３６】
ステップＳ６０８において、前記視聴デバイス４０中のシャッターメガネ４２は、前記セットトップボックス２０から、新音声ストリームを受信する。本実施形態において、前記シャッターメガネ４２は、無線の方式によって、新音声ストリームを受信し、且つ前記復調器４２２と前記デマルチプレクサ４２３とを利用して、前記新音声ストリーム中の毎音声パケットを逆多重化して、前記毎音声パケット中のユーザーＩＤと、各フレームとシンクロする音声信号及び同期信号のタイム幅と、を取得する。
【００３７】
ステップＳ６１０において、前記シャッターメガネ４２中のデマルチプレクサ４２３は、前記音声パケット中のユーザーＩＤが、前記シャッターメガネ４２に記憶されているユーザーＩＤであるか否かを判定する。
【００３８】
前記音声パケット中のユーザーＩＤが、前記シャッターメガネ４２に記憶されているユーザーＩＤである場合、ステップＳ６１２において、前記制御モジュール４２４は、前記同期信号のタイム幅により、制御信号を生成する。前記制御信号は、前記シャッターメガネ４２のレンズスイッチ４２５がオンになることを制御して、ユーザーが前記ビデオプレイアプライアンス１０に放映されるフレームが視聴できるようにする。それと同時に、前記音声パケット中の音声信号を前記ヘッドセット４４へ出力して、ユーザーが前記ビデオプレイアプライアンス１０に放映されるフレームとシンクロしている音声が聞こえるようにする。本実施形態において、前記制御信号のタイム幅は、前記同期信号のタイム幅と同じである。前記制御信号のタイム幅は、前記制御信号により、前記レンズスイッチ４２５がオンになる時間と同じである。具体的には、前記同期信号のタイム幅は１／９０秒であれば、前記制御信号のタイム幅も１／９０秒であり、前記制御信号により、前記レンズスイッチ４２５がオンになる時間も１／９０秒である。本実施形態において、前記制御信号は、方形波のデジタル信号である。前記制御信号は、高レベル信号によって、前記レンズスイッチ４２５がオンになることを制御し、低レベル信号によって前記レンズスイッチ４２５がオフになることを制御する。また前記制御信号は、前記制御信号に対応する同期信号のタイム幅の範囲の中で、前記レンズスイッチを制御して、オンの状態或いはオフの状態を維持させる。
【００３９】
前記音声パケット中のユーザーＩＤが、前記シャッターメガネ４２に記憶されているユーザーＩＤでない場合、ステップＳ６１４において、前記制御モジュール４２４は、前記同期信号のタイム幅により、制御信号を生成して、前記シャッターメガネ４２のレンズスイッチ４２５がオフになることを制御する。これにより、ユーザーは、前記ビデオプレイアプライアンス１０に放映されるフレームを視聴することができない。本発明を限定しない例として、例えば前記同期信号のタイム幅は１／９０秒であれば、前記制御モジュール４２４は、１／９０秒の低レベルの制御信号を生成して、前記シャッターメガネ４２の前記レンズスイッチ４２５がオフになることを制御する。しかし、次の音声ストリーム中の各音声パケットを逆多重化して、取得された前記音声パケット中のユーザーＩＤが、前記シャッターメガネ４２に記憶されているユーザーＩＤであれば、前記制御モジュール４２４に生成された前記制御信号により、前記レンズスイッチ４２５を再度オンにすることができ、従って、ユーザーが前記ビデオプレイアプライアンス１０に放映されるフレームを視聴することができる。
【００４０】
本実施形態において、各々のユーザーが視聴する画面と、各々のユーザーが聞こえる音声信号がシンクロするために、前記ビデオマルチプレクサ２０２から生成された同期信号を、前記音声マルチプレクサ２０３に伝送する時から、前記変調器２０５１が変調された新音声ストリームを前記無線ＲＦモジュール２０５３に伝送するまでのこの区切りの時間を、変調タイム（Ｔ２１）と定義し、前記無線ＲＦモジュール２０５３から変調された新音声ストリームを受信する時から、前記復調器４２２が前記受信モジュール４２２から新音声ストリームを受信する時までのこの区切りの時間を無線ＲＦと受信タイム（Ｔ２２）と定義し、前記復調器４２２から新音声ストリームを受信する時から、前記デマルチプレクサ４２３が新音声ストリームを復調して、音声信号を出力する時までのこの区切りの時間を復調タイム（Ｔ２３）と定義すると、前記遅延回路２０４に設定される固定遅延時間Ｔ１＝Ｔ２１＋Ｔ２２＋Ｔ２３となる。すなわち、固定遅延時間Ｔ１は、前記音声マルチプレクサ２０３が前記ビデオマルチプレクサ２０２から生成された同期信号を受信する時から、前記デマルチプレクサ４２３が新音声ストリームを復調して、音声信号を出力する時までのこの区切りの時間と同じである。
【００４１】
本発明のセットトップボックスと、シャッターメガネ及び各々のユーザーが同時にそれぞれの番組を視聴できる方法は、複数のユーザによって選択された番組のフレームをクロス多重化してビデオプレイアプライアンスに表示し、且つ同時にシャッターメガネのレンズスイッチがオン／オフになること制御する。これにより、各々のユーザーは同時にそれぞれ好きな番組を視聴することができる。
【００４２】
以上、本発明の好適な実施形態について詳細に説明したが、本発明は前記実施形態に限定されるものではなく、本発明の範囲中で種々の変形又は修正が可能であり、該変形又は修正も、本発明の特許請求の範囲中に含まれるものであることは、いうまでもない。
【符号の説明】
【００４３】
１００          メディアシステム
１０            ビデオプレイアプライアンス
２０            セットトップボックス
２０１          マルチメディアプロセッサ
２０２          ビデオマルチプレクサ
２０３          音声マルチプレクサ
２０４          遅延回路
２０５          伝送モジュール
２０５１        変調器
２０５３        無線ＲＦモジュール
３０            ネットワーク
４０            視聴デバイス
４２            シャッターメガネ
４２１          受信モジュール
４２２          復調器
４２３          デマルチプレクサ
４２４          制御モジュール
４２５          レンズスイッチ
４４            ヘッドセット
【図２】
2012175704.tif 000003
【図３】
2012175704.tif 000004
【図４】
2012175704.tif 000005
【図５】
2012175704.tif 000006
【図６】
2012175704.tif 000007
【図１】
2012175704.tif 000008